(57)【特許請求の範囲】
【請求項１】
ユーザ特定情報、年齢、及び年齢更新日を含む複数の登録情報を記憶する記憶手段と、
前記複数の登録情報のうちの所定の登録情報に含まれた年齢更新日に基づき、前記所定の登録情報に含まれた年齢を更新する更新手段と、
前記所定の登録情報に含まれた所定のユーザ特定情報の入力後、前記所定の登録情報に含まれた前記年齢又は前記更新手段により更新された年齢に基づき、年齢制限付きの動作を制御する制御手段と、
を備え、
前記更新手段は、アンテナ入力又はネットワーク入力から現在日時情報を受信し、前記現在日時情報及び前記所定の登録情報に含まれた前記年齢更新日に基づき、前記所定の登録情報に含まれた前記年齢を更新し、
前記制御手段は、前記所定のユーザ特定情報の入力後且つ前記更新手段により年齢が更新されていない場合又は前記現在日時情報を受信できない場合は、前記所定の登録情報に含まれた前記年齢に基づき、前記年齢制限付き動作を制御し、前記所定のユーザ特定情報の入力後且つ前記現在日時情報を受信でき前記現在日時情報に基づき年齢が更新された場合は、前記更新手段により更新された年齢に基づき、前記年齢制限付きの動作を制御する動作制御装置。
【請求項２】
前記制御手段は、前記所定の登録情報に含まれた前記年齢又は前記更新手段により更新された年齢未満の視聴年齢制限付き番組の再生を許可する請求項１の動作制御装置。
【請求項３】
前記制御手段は、前記所定のユーザ特定情報の入力後から別のユーザ特定情報が入力されるまでの間、前記所定の登録情報に含まれた前記年齢又は前記更新手段により更新された年齢未満の視聴年齢制限付きの複数番組の再生を許可する請求項１又は２の動作制御装置。
【請求項４】
前記記憶手段は、３Ｄ視聴年齢制限の設定を記憶し、
前記制御手段は、前記所定の登録情報に含まれた前記年齢又は前記更新手段により更新された年齢に基づき、３Ｄ番組の再生を制御する請求項１乃至３の何れか１つに記載の動作制御装置。
【請求項５】
放送波を受信する受信手段を備え、
前記制御手段は、前記所定の登録情報に含まれた前記年齢又は前記更新手段により更新された年齢に基づき、前記放送波のチャンネルスキャンを制御する請求項１乃至４の何れか１つの動作制御装置。
【請求項６】
前記制御手段は、前記現在日時情報を受信できない場合、前記所定の登録情報に含まれた年齢の更新を停止する請求項１乃至５の何れか１つの動作制御装置。
【請求項７】
ユーザ特定情報、年齢、及び年齢更新日を含む登録情報を記憶する記憶手段と、
前記登録情報に含まれた年齢更新日に基づき、前記登録情報に含まれた年齢を更新する更新手段と、
前記登録情報に含まれたユーザ特定情報の入力後、前記登録情報に含まれた前記年齢又は前記更新手段により更新された年齢に基づき、年齢制限付きの動作を許可する制御手段と、
を備え、
前記更新手段は、アンテナ入力又はネットワーク入力から現在日時情報を受信し、前記現在日時情報及び前記登録情報に含まれた前記年齢更新日に基づき、前記登録情報に含まれた前記年齢を更新し、
前記制御手段は、前記ユーザ特定情報の入力後且つ前記更新手段により年齢が更新されていない場合又は前記現在日時情報を受信できない場合は、前記登録情報に含まれた前記年齢に基づき、前記年齢制限付き動作を制御し、前記ユーザ特定情報の入力後且つ前記現在日時情報を受信でき前記現在日時情報に基づき年齢が更新された場合は、前記更新手段により更新された年齢に基づき、前記年齢制限付きの動作を制御する動作制御装置。
【請求項８】
ユーザ特定情報、年齢、及び年齢更新日を含む複数の登録情報のうちの所定の登録情報に含まれた年齢更新日に基づき、前記所定の登録情報に含まれた年齢を更新し、
前記所定の登録情報に含まれた所定のユーザ特定情報の入力後、前記所定の登録情報に含まれた前記年齢又は更新された年齢に基づき、年齢制限付きの動作を制御する動作制御方法であって、
アンテナ入力又はネットワーク入力から現在日時情報を受信し、前記現在日時情報及び前記所定の登録情報に含まれた前記年齢更新日に基づき、前記所定の登録情報に含まれた前記年齢を更新し、
前記所定のユーザ特定情報の入力後且つ前記年齢が更新されていない場合又は前記現在日時情報を受信できない場合は、前記所定の登録情報に含まれた前記年齢に基づき、前記年齢制限付き動作を制御し、前記所定のユーザ特定情報の入力後且つ前記現在日時情報を受信でき前記現在日時情報に基づき年齢が更新された場合は、更新された年齢に基づき、前記年齢制限付きの動作を制御する動作制御方法。
【請求項９】
ユーザ特定情報、年齢、及び年齢更新日を含む登録情報に含まれた年齢更新日に基づき、前記登録情報に含まれた年齢を更新し、
前記登録情報に含まれたユーザ特定情報の入力後、前記登録情報に含まれた前記年齢又は更新された年齢に基づき、年齢制限付きの動作を制御する動作制御方法であって、
アンテナ入力又はネットワーク入力から現在日時情報を受信し、前記現在日時情報及び前記登録情報に含まれた前記年齢更新日に基づき、前記登録情報に含まれた前記年齢を更新し、
前記ユーザ特定情報の入力後且つ前記年齢が更新されていない場合又は前記現在日時情報を受信できない場合は、前記登録情報に含まれた前記年齢に基づき、前記年齢制限付き動作を制御し、前記ユーザ特定情報の入力後且つ前記現在日時情報を受信でき前記現在日時情報に基づき年齢が更新された場合は、更新された年齢に基づき、前記年齢制限付きの動作を制御する動作制御方法。
【請求項１０】
外部から現在日時情報を受信する受信手段と、
ユーザ特定情報、年齢、及び年齢更新日を含む登録情報を記憶する記憶手段と、
前記現在日時情報及び前記登録情報に含まれた年齢更新日に基づき、前記登録情報に含まれた年齢を更新する更新手段と、
前記登録情報に含まれたユーザ特定情報の入力後、前記登録情報に含まれた前記年齢又は前記更新手段により更新された年齢に基づき、年齢制限付きの動作を制御する制御手段と、
を備え、
前記制御手段は、前記現在日時情報を受信できない場合は、前記登録情報に含まれた前記年齢に基づき、前記年齢制限付き動作を制御する動作制御装置。
【請求項１１】
ユーザ特定情報、年齢、及び年齢更新日を含む登録情報を記憶し、
外部から受信した現在日時情報及び前記登録情報に含まれた年齢更新日に基づき、前記登録情報に含まれた年齢を更新し、
前記登録情報に含まれたユーザ特定情報の入力後、前記登録情報に含まれた前記年齢又は更新された年齢に基づき、年齢制限付きの動作を制御する動作制御方法であって、
前記現在日時情報を受信できない場合は、前記登録情報に含まれた前記年齢に基づき、前記年齢制限付き動作を制御する動作制御方法。
【発明の詳細な説明】
【技術分野】
【０００１】
本発明の実施形態は、動作制御装置及び動作制御方法に関する。
【背景技術】
【０００２】
ユーザ設定に応じて動作するデジタルテレビが知られている。このデジタルテレビは、複数のユーザに対応して設定された複数の動作モードを記憶し、例えば、第１のユーザの動作モード（事前に指定された音量、画質、録画リスト）の選択に対応して、第１のユーザの動作モードに応じて動作する。
【０００３】
また、パレンタルロック機能を有するデジタルテレビも知られている。このデジタルテレビは、視聴年齢の設定を記憶し、設定された視聴年齢未満の視聴年齢制限付きの番組であれば、その番組の再生を許可し、設定された視聴年齢以上の視聴年齢制限付きの番組であれば、その番組の再生を許可しない。
【先行技術文献】
【特許文献】
【０００４】
【特許文献１】特開２０１０−２７３１５２号公報
【発明の概要】
【発明が解決しようとする課題】
【０００５】
ユーザの年齢は年を重ねるごとに加算されるが、デジタルテレビに設定された視聴年齢は固定である。ユーザの実年齢に合わせるためには、ユーザは、デジタルテレビに設定された視聴年齢を定期的に更新しなければならない。
【０００６】
本発明の目的は、設定年齢の更新の手間を解消することができる動作制御装置及び動作制御方法を提供することである。
【課題を解決するための手段】
【０００７】
実施形態の動作制御装置は、記憶手段と、更新手段と、制御手段とを備える。前記記憶手段は、ユーザ特定情報、年齢、及び年齢更新日を含む複数の登録情報を記憶する。前記更新手段は、第１の登録情報に含まれた年齢更新日に基づき、前記第１の登録情報に含まれた年齢を更新する。前記制御手段は、前記第１の登録情報に含まれた第１のユーザ特定情報の入力後、前記第１の登録情報に含まれる更新年齢に基づき、年齢制限付きの動作を制御する。
【図面の簡単な説明】
【０００８】
【図１】実施形態に係るデジタルテレビジョン放送受信装置（動作制御装置）の概略構成の一例を示す図である。
【図２】実施形態に係るモード選択画面の表示例を示す図である。
【図３Ａ】実施形態に係る各ユーザモードの一例を示す図である。
【図３Ｂ】実施形態に係る視聴年齢制限番組の再生制御の一例を示す図である。
【図４Ａ】実施形態に係る各ユーザモード（年齢の自動更新あり）の一例を示す図である。
【図４Ｂ】実施形態に係る視聴年齢制限番組の再生制御（年齢の自動更新に対応する再生制御）の一例を示す図である。
【発明を実施するための形態】
【０００９】
以下、実施形態について図面を参照して説明する。
【００１０】
図１は、実施形態に係るデジタルテレビジョン放送受信装置（動作制御装置）の概略構成の一例を示す図である。本実施形態では、映像表示部１４を備えた情報出力装置について説明するが、動作制御装置にとって映像表示部１４は必須構成ではない。例えば、動作制御装置がデジタルレコーダ、デジタルプレイヤー等の場合には、動作制御装置は映像表示部１４を備えず、ＨＤＭＩケーブル等を介して、外部の映像表示部に対して表示情報を出力する。
【００１１】
図１を参照して、デジタルテレビジョン放送受信装置１００について説明する。図１に示すように、ＢＳ／ＣＳデジタル放送受信用のアンテナ４７で受信した衛星デジタルテレビジョン放送信号は、入力端子４８を介して衛星デジタル放送用のチューナ４９に供給され、チューナ４９は、指定されたチャンネルの放送信号を選択する。
【００１２】
そして、このチューナ４９で選択された放送信号は、ＰＳＫ（phase shift keying）復調器５０に供給されて、デジタルの映像信号及び音声信号に復調された後、信号処理部５１に出力される。
【００１３】
また、地上波放送受信用のアンテナ５２で受信した地上デジタルテレビジョン放送信号は、入力端子５３を介して地上デジタル放送用のチューナ５４に供給され、チューナ５４は、指定されたチャンネルの放送信号を選択する。
【００１４】
そして、このチューナ５４で選択された放送信号は、ＯＦＤＭ（orthogonal frequency division multiplexing）復調器５５に供給されて、デジタルの映像信号及び音声信号に復調された後、上記信号処理部５１に出力される。
【００１５】
また、上記地上波放送受信用のアンテナ５２で受信した地上アナログテレビジョン放送信号は、入力端子５３を介して地上アナログ放送用のチューナ５６に供給され、チューナ５６は指定されたチャンネルの放送信号を選択する。そして、このチューナ５６で選択された放送信号は、アナログ復調器５７に供給されてアナログの映像信号及び音声信号に復調された後、上記信号処理部５１に出力される。
【００１６】
ここで、上記信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００１７】
また、上記信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１８】
そして、この信号処理部５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００１９】
このうち、グラフィック処理部５８は、信号処理部５１から供給されるデジタルの映像信号に、ＯＳＤ（on screen display）信号生成部６１で生成されるＯＳＤ信号を重畳して出力する機能を有する。このグラフィック処理部５８は、信号処理部５１の出力映像信号と、ＯＳＤ信号生成部６１の出力ＯＳＤ信号とを選択的に出力すること、また、両出力を組み合わせて出力することができる。
【００２０】
そして、グラフィック処理部５８から出力されたデジタルの映像信号は、映像処理部６２に供給される。映像処理部６２により処理された映像信号は、映像表示部１４に供給され、また出力端子にも供給される。映像表示部１４は、映像信号に基づく映像を表示し、出力端子に対して外部機器が接続されると、出力端子に供給された映像信号は、外部機器へ入力される。
【００２１】
また、上記音声処理部５９は、入力されたデジタルの音声信号を、前記スピーカ１５で再生可能なアナログ音声信号に変換した後、スピーカ１５に出力して音声出力させるとともに、出力端子を介して外部に導出させる。
【００２２】
なお、デジタルテレビジョン放送受像装置１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、または、前記リモートコントローラ１７から送出され受光部１８を介して受信した操作情報に基づき、操作内容が反映されるように各部をそれぞれ制御している。
【００２３】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００２４】
また、上記制御モジュール６５は、通信Ｉ／Ｆ７３を介して情報を送受信することができる。例えば、制御モジュール６５は、通信Ｉ／Ｆ７３を介して、サーバから配信されるコンテンツ（視聴年齢制限番組）の受信（再生）を制御することができる。視聴年齢制限番組の受信制御（再生制御）については後述する。
【００２５】
さらに、上記制御モジュール６５は、ＵＳＢ Ｉ／Ｆ７６を介してＵＳＢ対応機器（例えば外付けＨＤＤ１０２）と情報伝送を行なうことができる。
【００２６】
さらに、上記制御モジュール６５は、不揮発性メモリ６８に記憶された録画予約リストに含まれた録画予約情報を参照し、受信信号に基づくコンテンツ（番組）の録画動作を制御する。録画先としては、例えば内蔵ＨＤＤ１０１、ＵＳＢ端子２４を介して接続された外付けＨＤＤ１０２、ＨＤＭＩ端子を介して接続されたハードディスクレコーダ、ＤＶＤレコーダ、又はブルーレイレコーダがある。
【００２７】
例えば、制御モジュール６５は、内蔵ＨＤＤ１０１又は外付けＨＤＤ１０２に対する視聴年齢制限番組の記録を制御したり、内蔵ＨＤＤ１０１又は外付けＨＤＤ１０２に記録された視聴年齢制限番組の再生を制御したりする。視聴年齢制限番組の記録制御及び再生制御については後述する。  次に、デジタルテレビジョン放送受像装置１００（制御モジュール６５）による動作制御の一例について説明する。
【００２８】
例えば、デジタルテレビジョン放送受像装置１００は、ノーマルモード、及び１以上のユーザモード（１以上の動作モード）を備え、モード選択画面を表示する。図２は、モード選択画面の表示例を示す図である。図２に示すように、モード選択画面は、ノーマルモード、及び第１、第２、第３、第４のユーザモード（User Name 1,2,3,4）に対応する複数のアイコンを含む。デジタルテレビジョン放送受像装置１００は、ユーザの選択操作に応じて、ノーマルモードを設定したり、第１、第２、第３、第４のユーザモードの中の一つのユーザモードを設定したりする。なお、後述するが、ユーザモードに対応付けてユーザ特定情報が設定されている場合には、正しいユーザ特定情報の入力を条件としてユーザモードを設定することができる。ユーザモードに対応付けてユーザ特定情報が設定されていなければ、アイコン選択操作等でユーザモードを設定することができる。
【００２９】
デジタルテレビジョン放送受像装置１００は、操作部１６又はリモートコントローラ１７からのユーザ登録に対応して、ユーザモードを設定することができる。例えば、ユーザは、操作部１６又はリモートコントローラ１７を介して、ユーザ名、ユーザ特定情報、年齢、及び年齢更新日（誕生日）を含む第１の登録情報を入力することができる。さらに、ユーザは、操作部１６又はリモートコントローラ１７を介して、前記第１の登録情報に対応付けて第１のユーザモード（第１の動作モード）を入力することもできる。これに対応して、不揮発性メモリ６８は、第１の登録情報を記憶し、また第１の登録情報に対応付けられた第１のユーザモードを記憶する。
【００３０】
同様に、ユーザは、操作部１６又はリモートコントローラ１７を介して、第２の登録情報、第３の登録情報、第４の登録情報を入力することができる。これに対応して、不揮発性メモリ６８は、第２、第３、第４の登録情報を記憶し、また第２の登録情報に対応付けられた第２のユーザモード、第３の登録情報に対応付けられた第３のユーザモード、第４の登録情報に対応付けられた第４のユーザモードを記憶する。
【００３１】
ユーザ特定情報は、例えばパスワード又はＰＩＮコードであるが、ユーザの顔画像情報（画像特徴情報）、又はユーザの音声情報（音声特徴情報）でもよい。第１の登録情報に含まれる第１のユーザ特定情報がパスワードの場合には、制御モジュール６５は、操作部１６又はリモートコントローラ１７を介して入力される入力パスワードと第１の登録情報に含まれた第１のユーザ特定情報（パスワード）とを比較照合し、ユーザを認証する。第１の登録情報に含まれた第１のユーザ特定情報が顔画像情報（画像特徴情報）の場合には、制御モジュール６５は、カメラ撮影により取得された顔画像情報（画像特徴情報）と第１の登録情報に含まれた第１のユーザ特定情報（顔画像情報（画像特徴情報））とを比較照合し、ユーザを認証する。第１の登録情報に含まれた第１のユーザ特定情報が音声情報（音声特徴情報）の場合には、制御モジュール６５は、マイクにより取得された音声情報（音声特徴情報）と第１の登録情報に含まれた第１のユーザ特定情報（音声情報（音声特徴情報））とを比較照合し、ユーザを認証する。
【００３２】
なお、ユーザ特定情報の設定は任意であり、ユーザ特定情報を未設定にすることもできる。例えば、図２に示すモード選択画面中の第１のユーザモード（User Name 1）のアイコンには鍵表示があり、第１のユーザモードには第１のユーザ特定情報が設定されていることを示す。つまり、第１のユーザモードに対応付けられた第１の登録情報には第１のユーザ特定情報が設定されている。同様に、第４のユーザモード（User Name 4）のアイコンにも鍵表示があり、第４のユーザモードには第４のユーザ特定情報が設定されていることを示す。
【００３３】
一方、図２に示すモード選択画面中の第２のユーザモード（User Name 1）のアイコンには鍵表示がなく、第２のユーザモードにはユーザ特定情報が設定されていないことを示す。つまり、第２のユーザモードに対応付けられた第２の登録情報にはユーザ特定情報が設定されていない。同様に、第３のユーザモード（User Name 3）のアイコンにも鍵表示がなく、第３のユーザモードにはユーザ特定情報が設定されていないことを示す。
【００３４】
例えば、第１のユーザモードに第１のユーザ特定情報が設定されていれば、ユーザは、操作部１６又はリモートコントローラ１７を介して、モード選択画面上で第１のユーザモードに対応するアイコンを選択すると、制御モジュール６５は、第１のユーザモードに対応付けられた第１のユーザ特定情報の入力を要求し、ユーザは、操作部１６又はリモートコントローラ１７を介して、第１のユーザモードに対応付けられた第１のユーザ特定情報を入力すると、制御モジュール６５は、第１のユーザモードに対応付けられた第１のユーザ特定情報の入力に対応して、第１のユーザモードを設定する。言い換えれば、制御モジュール６５は、第１のユーザ特定情報の入力に対応して、既に設定されているユーザモードを第１のユーザモードへ変更する。
【００３５】
例えば、第２のユーザモードにユーザ特定情報が設定されていなければ、ユーザは、操作部１６又はリモートコントローラ１７を介して、モード選択画面上で第２のユーザモードに対応するアイコンを選択すると、制御モジュール６５は、アイコンの選択に対応して、第２のユーザモードを設定する。言い換えれば、制御モジュール６５は、アイコンの選択に対応して、既に設定されているユーザモードを第２のユーザモードへ変更する。
【００３６】
例えば、第１のユーザモードは、事前に指定される音量、画質、番組記録リスト、番組記録予約リスト、チャンネルリストを含む。同様に、第２のユーザモードも、事前に指定される音量、画質、番組記録リスト、番組記録予約リスト、チャンネルリストを含む。
【００３７】
第１のユーザモードのアイコンが選択され、第１のユーザ特定情報（パスワード）が入力されると、制御モジュール６５は、入力パスワードと第１の登録情報に含まれた第１のユーザ特定情報（パスワード）とを比較照合し、ユーザの認証に成功すると、第１の登録情報に対応付けられた第１のユーザモードを設定し、第１のユーザモードに基づき動作を制御する。つまり、制御モジュール６５は、番組の再生操作に対応して第２のユーザモードで指定された音量、画質（再生条件）で番組を再生する。また、制御モジュール６５は、番組記録リストの出力要求（表示要求）に対応して第１のユーザモードで指定された番組記録リストを出力（表示）する。また、制御モジュール６５は、番組記録予約リストの出力要求（表示要求）に対応して第１のユーザモードで指定された番組記録予約リストを出力（表示）する。また、制御モジュール６５は、チャンネルリストの出力要求（表示要求）に対応して第２のユーザモードで指定されたチャンネルリストを出力（表示）する。
【００３８】
第２のユーザモードが設定されると、制御モジュール６５は、第２のユーザモードに基づき動作を制御する。つまり、制御モジュール６５は、番組の再生操作に対応して第２のユーザモードで指定された音量、画質（再生条件）で番組を再生する。また、制御モジュール６５は、番組記録リストの出力要求（表示要求）に対応して第２のユーザモードで指定された番組記録リストを出力（表示）する。また、制御モジュール６５は、番組記録予約リストの出力要求（表示要求）に対応して第２のユーザモードで指定された番組記録予約リストを出力（表示）する。また、制御モジュール６５は、チャンネルリストの出力要求（表示要求）に対応して第２のユーザモードで指定されたチャンネルリストを出力（表示）する。
【００３９】
上記したように、不揮発性メモリ６８は、複数の登録情報を記憶し、またこれら複数の登録情報に対応する複数のユーザモードを記憶し、さらに、ノーマルモードも記憶も記憶する。ノーマルモードは、デフォルトの音量、デフォルトの画質、デフォルトの番組記録リスト、デフォルトの番組記録予約リスト、デフォルトのチャンネルリストを含む。
【００４０】
次に年齢自動更新について説明する。デジタルテレビジョン放送受像装置１００は、放送信号を介して現在日時情報を得ることができる。また、デジタルテレビジョン放送受像装置１００は、通信Ｉ／Ｆ７３を介して現在日時情報を得ることができる。制御モジュール６５は、現在日時情報及び第１の登録情報に含まれた年齢更新日に基づき、第１の登録情報に含まれた年齢（初期設定年齢）を更新する。更新後、第１の登録情報が、年齢（初期設定年齢）に替えて更新年齢を保持してもよいし、第１の登録情報が、年齢（初期設定年齢）及び更新年齢を保持してもよい。
【００４１】
例えば、第１の登録情報に含まれた年齢が１７歳で、第１の登録情報に含まれた年齢更新日（誕生日）が12/1と仮定する。制御モジュール６５は、現在日時情報に基づき2011/11/30/23/59/59から2011/12/1/00/00/00に更新されたことを検出したタイミングで、第１の登録情報に含まれた年齢１７歳を年齢１８歳へ更新する。
【００４２】
例えば、第１のユーザモードに対応付けられた第１の登録情報に第１のユーザ特定情報が設定されている場合、第１の登録情報の設定、変更には、第１の登録情報に設定された第１のユーザ特定情報の入力を必要とする。つまり、第１の登録情報に含まれた年齢の設定、変更には、第１の登録情報に設定された第１のユーザ特定情報の入力が必要となる。これにより、無断で第１の登録情報の年齢を変更することはできない。
【００４３】
次に、図３Ａ、図３Ｂ、図４Ａ、図４Ｂを参照して、年齢制限付きの動作制御について説明する。例えば、１５歳未満の者が視聴できない第１の視聴年齢制限番組（視聴年齢制限番組Ｐ１）、及び１８歳未満の者が視聴できない第２の視聴年齢制限番組（視聴年齢制限番組Ｐ２）を想定し、動作制御（再生制御）の一例について説明する。なお、デジタルテレビジョン放送受信装置１００は、放送信号を介して電子番組ガイドを受信することができ、電子番組ガイドを表示することができる。また、デジタルテレビジョン放送受像装置１００は、通信Ｉ／Ｆ７３を介して電子番組ガイドを受信することもできる。
【００４４】
また、図３Ａに示すようなノーマルモード、第１のユーザモード（ユーザモードＵ１）、第２のユーザモード（ユーザモードＵ２）、第３のユーザモード（ユーザモードＵ３）、第４のユーザモード（ユーザモードＵ４）を想定する。
【００４５】
ユーザが、操作部１６又はリモートコントローラ１７を介して、図２に示すモード選択画面から、ノーマルモードのアイコンを選択すると、制御モジュール６５は、ノーマルモードを設定する(図３ＢのＳＴ１)。ノーマルモードに対してユーザ特定情報（パスワード）は設定されていないので、ユーザ特定情報（パスワード）を入力しなくても、ノーマルモードを設定することができる。
【００４６】
デジタルテレビジョン放送受信装置１００においてノーマルモードが設定されている状態で、ユーザが、操作部１６又はリモートコントローラ１７を介して、電子番組ガイドから上記第１の視聴年齢制限番組の視聴を選択すると、制御モジュール６５は、第１の視聴年齢制限番組の再生（再生動作）を許可しない。よって、第１の視聴年齢制限番組の視聴が選択されても、第１の視聴年齢制限番組は再生されず、表示もされない(図３ＢのＳＴ２)。同様に、ユーザが、操作部１６又はリモートコントローラ１７を介して、電子番組ガイドから上記第２の視聴年齢制限番組の視聴を選択しても、制御モジュール６５は、第２の視聴年齢制限番組の再生（再生動作）を許可しない。なお、電子番組ガイドからだけでなく、録画リストなどから第１の視聴年齢制限番組の視聴が選択された場合も同様である。
【００４７】
ユーザが、操作部１６又はリモートコントローラ１７を介して、図２に示すモード選択画面から、第１のユーザモード（ユーザモードＵ１）のアイコンを選択すると、制御モジュール６５は、第１のユーザモードに対応付けられた第１のユーザ特定情報（パスワードＰＷ１）の入力を要求し、ユーザは、操作部１６又はリモートコントローラ１７を介して、第１のユーザモードに対応付けられた第１のユーザ特定情報（パスワードＰＷ１）を入力すると、制御モジュール６５は、第１のユーザモードに対応付けられた第１のユーザ特定情報（パスワードＰＷ１）の入力に対応して、第１のユーザモードを設定する(図３ＢのＳＴ３)。
【００４８】
デジタルテレビジョン放送受信装置１００において第１のユーザモード（設定年齢は１７歳）が設定されている状態、つまり、第１のユーザ特定情報の入力後の状態で、ユーザが、操作部１６又はリモートコントローラ１７を介して、電子番組ガイド等から上記第１の視聴年齢制限番組の視聴を選択すると、制御モジュール６５は、第１の視聴年齢制限番組に設定された年齢条件（１５歳未満視聴不可）と、第１のユーザモードに設定された年齢条件（１７歳）とを比較し、第１の視聴年齢制限番組の再生（再生動作）を許可する。つまり、制御モジュール６５は、第１のユーザモードに対応付けられた第１の登録情報に含まれた年齢未満の視聴年齢制限番組の再生（再生動作）を許可する。よって、第１の視聴年齢制限番組の視聴が選択されると、信号処理部５１、グラフィック処理部５８、音声処理部５９、及び映像処理部６２等が第１の視聴年齢制限番組を再生し、映像表示部１４が第１の視聴年齢制限番組を表示する。この場合、デジタルテレビジョン放送受信装置１００は、第１のユーザモード（ユーザモードＵ１）において指定された音量、画質（再生条件Ｃ１）に基づき、第１の視聴年齢制限番組を再生する(図３ＢのＳＴ４)。
【００４９】
また、デジタルテレビジョン放送受信装置１００において第１のユーザモード（設定年齢は１７歳）が設定されている状態で、ユーザが、操作部１６又はリモートコントローラ１７を介して、電子番組ガイド等から上記第２の視聴年齢制限番組の視聴を選択すると、制御モジュール６５は、第２の視聴年齢制限番組に設定された年齢条件（１８歳未満視聴不可）と、第１のユーザモードに設定された年齢条件（１７歳）とを比較し、第２の視聴年齢制限番組の再生（再生動作）を許可しない。つまり、制御モジュール６５は、第１のユーザモードに対応付けられた第１の登録情報に含まれた年齢以上の視聴年齢制限番組の再生（再生動作）を許可しない。よって、第２の視聴年齢制限番組の視聴が選択されても、第２の視聴年齢制限番組は再生されず、表示もされない(図３ＢのＳＴ５)。
【００５０】
なお、制御モジュール６５は、第１のユーザモードが設定されている状態、つまり、第１のユーザ特定情報の入力後の状態で、第１のユーザモードの変更指示（解除指示）がなければ、第１のユーザモードを維持し、例えば、第１のユーザモードを第４のユーザモードへ変更する指示があれば、第１のユーザモードを第４のユーザモードへ変更する。
【００５１】
第１のユーザモードが維持されている間、制御モジュール６５は、第１のユーザモードに対応付けられた第１の登録情報に含まれた年齢未満又は第１の登録情報に含まれる更新年齢未満の視聴年齢制限付きの複数番組の再生（再生動作）を許可する。つまり、第１のユーザモードが維持されている間に、複数の第１の視聴年齢制限番組の視聴が順に選択された場合には、選択された複数の第１の視聴年齢制限番組の再生（再生動作）が許可される。第１の視聴年齢制限番組の視聴を選択する度に、第１のユーザ特定情報を入力しなくてもよい。
【００５２】
例えば、第１のユーザモードが設定されている状態で、ユーザが、操作部１６又はリモートコントローラ１７を介して、図２に示すモード選択画面を呼び出し、モード選択画面上で第４のユーザモード（ユーザモードＵ４）のアイコンを選択すると、制御モジュール６５は、第４のユーザモードに対応付けられた第４のユーザ特定情報（パスワードＰＷ４）の入力を要求し、ユーザは、操作部１６又はリモートコントローラ１７を介して、第４のユーザモードに対応付けられた第４のユーザ特定情報（パスワードＰＷ４）を入力すると、制御モジュール６５は、第４のユーザモードに対応付けられた第４のユーザ特定情報の入力に対応して、第１のユーザモードを第４のユーザモードへ変更し、第４のユーザモードを設定する(図３ＢのＳＴ６)。
【００５３】
第４のユーザモードが設定されている状態で、つまり、第４のユーザ特定情報の入力後の状態で、ユーザが、操作部１６又はリモートコントローラ１７を介して、電子番組ガイド等から第１の視聴年齢制限番組の視聴を選択すると、制御モジュール６５は、第１の視聴年齢制限番組に設定された年齢条件（１５歳未満視聴不可）と、第４のユーザモードに設定された年齢条件（例えば３０歳）とを比較し、第１の視聴年齢制限番組の再生（再生動作）を許可する。つまり、制御モジュール６５は、第４のユーザ特定情報の入力後、第４の登録情報に含まれた年齢未満又は第４の登録情報に含まれる更新年齢未満の視聴年齢制限番組の再生を許可する。よって、第１の視聴年齢制限番組の視聴が選択されると、信号処理部５１、グラフィック処理部５８、音声処理部５９、及び映像処理部６２等が第１の視聴年齢制限番組を再生し、映像表示部１４が第１の視聴年齢制限番組を表示する。この場合、デジタルテレビジョン放送受信装置１００は、第４のユーザモード（ユーザモードＵ４）において指定された音量、画質（再生条件Ｃ４）に基づき、第４の視聴年齢制限番組を再生する(図３ＢのＳＴ７)。
【００５４】
また、第４のユーザモードが維持されている間に、複数の第１の視聴年齢制限番組の視聴が順に選択された場合には、これら選択された複数の第１の視聴年齢制限番組の再生（再生動作）が許可される。第１の視聴年齢制限番組の視聴を選択する度に、第４のユーザ特定情報を入力しなくてもよい。
【００５５】
次に、制御モジュール６５が、第１のユーザモードに対応付けられた第１の登録情報の年齢（１７歳）を自動更新した後の動作制御について説明する。自動更新により、図４Ａに示すようなノーマルモード、第１のユーザモード（ユーザモードＵ１）、第２のユーザモード（ユーザモードＵ２）、第３のユーザモード（ユーザモードＵ３）、第４のユーザモード（ユーザモードＵ４）を想定する。
【００５６】
デジタルテレビジョン放送受信装置１００において第１のユーザモード（更新された設定年齢は１８歳）が設定されている状態で、ユーザが、操作部１６又はリモートコントローラ１７を介して、電子番組ガイド等から上記第１の視聴年齢制限番組の視聴を選択すると、制御モジュール６５は、第１の視聴年齢制限番組に設定された年齢条件（１５歳未満視聴不可）と、第１のユーザモードに設定された年齢条件（１８歳）とを比較し、第１の視聴年齢制限番組の再生（再生動作）を許可する。つまり、制御モジュール６５は、第１のユーザモードに対応付けられた第１の登録情報に含まれる更新年齢未満の視聴年齢制限番組の再生（再生動作）を許可する。この場合、デジタルテレビジョン放送受信装置１００は、第１のユーザモードにおいて指定された音量、画質（再生条件Ｃ１）に基づき、第１の視聴年齢制限番組を再生する(図４ＢのＳＴ４)。
【００５７】
また、デジタルテレビジョン放送受信装置１００において第１のユーザモード（更新された設定年齢は１８歳）が設定されている状態で、ユーザが、操作部１６又はリモートコントローラ１７を介して、電子番組ガイド等から上記第２の視聴年齢制限番組の視聴を選択すると、制御モジュール６５は、第２の視聴年齢制限番組に設定された年齢条件（１８歳未満視聴不可）と、第１のユーザモードに設定された年齢条件（１８歳）とを比較し、第２の視聴年齢制限番組の再生（再生動作）も許可する。つまり、制御モジュール６５は、第１のユーザモードに対応付けられた第１の登録情報に含まれる更新年齢未満の視聴年齢制限番組の再生（再生動作）を許可する。この場合、デジタルテレビジョン放送受信装置１００は、第１のユーザモードにおいて指定された音量、画質（再生条件Ｃ１）に基づき、第２の視聴年齢制限番組を再生する(図４ＢのＳＴ５’)。
【００５８】
さらに、デジタルテレビジョン放送受信装置１００は、上記と同様にして、内蔵ＨＤＤ１０１又は外付けＨＤＤ１０２に記録された視聴年齢制限番組の再生を制御することもできるし、内蔵ＨＤＤ１０１又は外付けＨＤＤ１０２に対する視聴年齢制限番組の記録を制御することもできる。また、デジタルテレビジョン放送受信装置１００は、上記と同様にして、視聴年齢制限番組の受信を制御することもできる。
【００５９】
さらに、デジタルテレビジョン放送受信装置１００は、上記と同様にして、３Ｄ画像（3-dimensional image）の視聴年齢制限（以下、３Ｄ視聴年齢制限）及び登録情報に含まれた年齢又は登録情報に含まれる更新年齢に基づき、３Ｄ番組の再生及び記録を制御することもできる。例えば、不揮発性メモリ６８が、３Ｄ視聴年齢制限（例えば１８歳未満の３Ｄ視聴を許可しない）の設定を記憶する。デジタルテレビジョン放送受信装置１００において第１のユーザモード（設定年齢は１７歳）が設定されている状態、つまり、第１のユーザ特定情報の入力後の状態で、ユーザが、操作部１６又はリモートコントローラ１７を介して、電子番組ガイドから３Ｄ番組の視聴を選択すると、制御モジュール６５は、３Ｄ視聴年齢制限（例えば１８歳未満の３Ｄ視聴を許可しない）と、第１のユーザモードに設定された年齢条件（１７歳）とを比較し、３Ｄ番組の再生（再生動作）を許可しない。
【００６０】
第１のユーザモードに対応付けられた第１の登録情報の年齢（１７歳）が更新された後であれば、デジタルテレビジョン放送受信装置１００において第１のユーザモード（設定年齢は１７歳）が設定されている状態、つまり、第１のユーザ特定情報の入力後の状態で、ユーザが、操作部１６又はリモートコントローラ１７を介して、電子番組ガイドから３Ｄ番組の視聴を選択すると、制御モジュール６５は、３Ｄ視聴年齢制限（例えば１８歳未満の３Ｄ視聴を許可しない）と、第１のユーザモードに設定された年齢条件（１８歳）とを比較し、３Ｄ番組の再生（再生動作）を許可する。
【００６１】
さらに、デジタルテレビジョン放送受信装置１００は、上記と同様にして、チャンネルスキャンの年齢制限（以下、チャンネルスキャン年齢制限）に基づき、チャンネルスキャンを制御（許可／不許可）することもできる。例えば、不揮発性メモリ６８が、チャンネルスキャン年齢制限（例えば１８歳未満のチャンネルスキャンを許可しない）の設定を記憶する。デジタルテレビジョン放送受信装置１００において第１のユーザモード（設定年齢は１７歳）が設定されている状態、つまり、第１のユーザ特定情報の入力後の状態で、ユーザが、操作部１６又はリモートコントローラ１７を介して、オートチャンネルスキャンを指定すると、制御モジュール６５は、チャンネルスキャン年齢制限（例えば１８歳未満のチャンネルスキャンを許可しない）と、第１のユーザモードに設定された年齢条件（１７歳）とを比較し、チャンネルスキャンを許可しない。
【００６２】
第１のユーザモードに対応付けられた第１の登録情報の年齢（１７歳）が更新された後であれば、デジタルテレビジョン放送受信装置１００において第１のユーザモード（設定年齢は１７歳）が設定されている状態、つまり、第１のユーザ特定情報の入力後の状態で、ユーザが、操作部１６又はリモートコントローラ１７を介して、チャンネルスキャンを指定すると、制御モジュール６５は、チャンネルスキャン年齢制限（例えば１８歳未満のチャンネルスキャンを許可しない）と、第１のユーザモードに設定された年齢条件（１７歳）とを比較し、チャンネルスキャンを許可する。これに対応して、チューナ４９、チューナ５４、及びチューナ５６は、放送信号（放送波）に基づきチャンネルスキャンを開始し、制御モジュール６５は、チャンネルスキャンにより検出された複数のチャンネルを視聴チャンネルとして設定する。
【００６３】
上記説明では、デジタルテレビジョン放送受信装置１００が、年齢（初期設定年齢）又は更新年齢に基づき、年齢制限付きの動作を制御するケースについて説明したが、現在日時情報を取得できないケースでは、制御モジュール６５は、年齢の更新を停止し、更新が停止される前の年齢（例えば初期設定年齢）に基づき年齢制限付きの動作を制御することが実用上好ましい。或いは、現在日時情報を取得できないケースでは、制御モジュール６５は、年齢の更新を停止し、年齢制限付きの動作を全て受け付けないようにしてもよい。
【００６４】
現在日時情報を取得できないケースとは、例えば、デジタルテレビジョン放送受信装置１００に対してアンテナ入力が接続されていない、及びネットワークも接続されていないケースである。例えば、デジタルテレビジョン放送受信装置１００により外部入力映像（パッケージコンテンツ）を視聴するだけのケースである。
【００６５】
以下、本実施形態についてまとめる。
【００６６】
近年の放送受信装置には、パレンタルロック機能（視聴年齢制限機能）が搭載されている。放送受信装置に対してユーザの年齢を設定することにより、設定された年齢での視聴が制限されている番組の視聴を制限することができる。例えば、親が子供の番組視聴を制限することができる。
【００６７】
例えば、１台の放送受信装置が１つの年齢設定しか受け付けず、また１台の放送受信装置を複数ユーザで使用する場合、各ユーザに応じた年齢設定ができず、不便である。本実施形態のデジタルテレビジョン放送受信装置１００は、複数の登録情報に対応付けて複数のユーザモード（お父さんモード、お母さんモード、子供モード）を登録することができるので、各ユーザに応じた年齢設定が可能となる。さらに、デジタルテレビジョン放送受信装置１００は、ユーザの年齢（初期設定年齢）及び年齢更新日（ユーザの生年月日）を含む登録情報を記憶することができ、年齢更新日に基づき年齢を更新する。なお、デジタルテレビジョン放送受信装置１００は、年齢（初期設定年齢）に置き換えて更新年齢を保持してもよいし、年齢（初期設定年齢）と更新年齢の両方を保持してもよい。これにより、デジタルテレビジョン放送受信装置１００は、各ユーザの現在の年齢に応じたパレンタルロック機能（放送の視聴年齢制限機能）を提供することができる。なお、状況によっては、デジタルテレビジョン放送受信装置１００は、初期設定年齢に応じたパレンタルロック機能（放送の視聴年齢制限機能）を提供することもできる。
【００６８】
なお、上記したモジュールとは、ハードウェアで実現するものであっても良いし、ＣＰＵ等を使ってソフトウェアで実現するものであってもよい。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
以下、本願の出願当初の特許請求の範囲に記載された発明を付記する。
［１］
ユーザ特定情報、年齢、及び年齢更新日を含む複数の登録情報を記憶する記憶手段と、
第１の登録情報に含まれた年齢更新日に基づき、前記第１の登録情報に含まれた年齢を更新する更新手段と、
前記第１の登録情報に含まれた第１のユーザ特定情報の入力後、前記第１の登録情報に含まれる更新年齢に基づき、年齢制限付きの動作を制御する制御手段と、
を備えた動作制御装置。
［２］
前記制御手段は、前記第１のユーザ特定情報の入力後、前記第１の登録情報に含まれる更新年齢未満の視聴年齢制限付き番組の再生を許可する［１］の動作制御装置。
［３］
前記制御手段は、前記第１のユーザ特定情報の入力後から別のユーザ特定情報が入力されるまでの間、前記第１の登録情報に含まれる更新年齢未満の視聴年齢制限付きの複数番組の再生を許可する［１］又は［２］の動作制御装置。
［４］
前記記憶手段は、３Ｄ視聴年齢制限の設定を記憶し、
前記制御手段は、前記第１のユーザ特定情報の入力後、前記３Ｄ視聴年齢制限及び前記第１の登録情報に含まれる更新年齢に基づき、３Ｄ番組の再生を制御する［１］乃至［３］の何れか１つに記載の動作制御装置。
［５］
放送波を受信する受信手段を備え、
前記制御手段は、前記第１のユーザ特定情報の入力後、前記第１の登録情報に含まれる更新年齢に基づき、前記放送波のチャンネルスキャンを制御する［１］乃至［４］の何れか１つの動作制御装置。
［６］
前記更新手段は、現在日時情報を受信し、前記現在日時情報及び前記第１の登録情報に含まれた年齢更新日に基づき、前記第１の登録情報に含まれた年齢を更新する［１］乃至［５］の何れか１つの動作制御装置。
［７］
前記制御手段は、前記現在日時情報を受信できない場合、前記第１の登録情報に含まれた年齢の更新を停止し、前記第１のユーザ特定情報の入力後、前記第１の登録情報に含まれた年齢に基づき、前記年齢制限付き動作を制御する［６］の動作制御装置。
［８］
ユーザ特定情報、年齢、及び年齢更新日を含む登録情報を記憶する記憶手段と、
前記登録情報に含まれた年齢更新日に基づき、前記登録情報に含まれた年齢を更新する更新手段と、
前記登録情報に含まれたユーザ特定情報の入力後、前記登録情報に含まれる更新年齢に基づき、年齢制限付きの動作を許可する制御手段と、
を備えた動作制御装置。
［９］
ユーザ特定情報、年齢、及び年齢更新日を含む複数の登録情報のうちの第１の登録情報に含まれた年齢更新日に基づき、前記第１の登録情報に含まれた年齢を更新し、
前記第１の登録情報に含まれた第１のユーザ特定情報の入力後、前記第１の登録情報に含まれる更新年齢に基づき、年齢制限付きの動作を制御する動作制御方法。
【符号の説明】
【００７０】
１…デジタルテレビジョン放送受信装置、１４…映像表示部、１５…スピーカ、１６…操作部、１７…リモートコントローラ、６２…映像処理部、６５…制御モジュール、６８…不揮発性メモリ
【要約】
【課題】設定年齢の更新の手間を解消することができる動作制御装置を提供すること。
【解決手段】実施形態の動作制御装置は、記憶手段と、更新手段と、制御手段とを備える。前記記憶手段は、ユーザ特定情報、年齢、及び年齢更新日を含む複数の登録情報を記憶する。前記更新手段は、第１の登録情報に含まれた年齢更新日に基づき、前記第１の登録情報に含まれた年齢を更新する。前記制御手段は、前記第１の登録情報に含まれた第１のユーザ特定情報の入力後、前記第１の登録情報に含まれる更新年齢に基づき、年齢制限付きの動作を制御する。
【選択図】図３Ｂ【図１】
0005197840.tif 000002
【図２】
0005197840.tif 000003
【図３Ａ】
0005197840.tif 000004
【図３Ｂ】
0005197840.tif 000005
【図４Ａ】
0005197840.tif 000006
【図４Ｂ】
0005197840.tif 000007